(57)【要約】【課題】媒体を集積する際に発生する騒音を抑え得るようにする。【解決手段】出金部４は、下ガイド３４の下方であって羽根車４１の舌片４３の回転軌跡４３内に干渉部材５１を設けた。これにより出金部４は、羽根車４１を回転させる際、舌片４３をまず干渉部材５１の下端部５１Ｐ近傍に徐々に当接させ、その後当該舌片４３を当該干渉部材５１に摺動させた後、搬送路３２内を搬送される紙幣ＢＬに対し、まず中部４３Ｂを当接させ、徐々にその外方部分を当接させていき、最後に先端部４３Ａを僅かに撓ませて紙幣ＢＬに衝突させる。この結果、出金部４は、舌片４３の先端部４３Ａと紙幣ＢＬとの衝突に伴って発生する騒音を極めて小さく抑えることができる。【選択図】図７
2014229186.tif 000002
【特許請求の範囲】
【請求項１】
紙葉状の媒体を搬送する搬送路と、
前記搬送路を搬送されてきた前記媒体を所定の集積空間内へ放出する放出部と、
前記集積空間内に設けられ、前記放出部から放出された前記媒体を載置して集積する集積台と、
前記媒体の搬送方向と直交する回転軸を中心に回転する中心体から可撓性を有する舌片が放射方向へ延設されてなり、前記放出部から放出された前記媒体の後端を、前記舌片の前記中心体から最も遠い外端部が円状に回転する場合に描く回転軌跡の内側に位置させ、且つ前記搬送路に対し当該回転軌跡を交差させるように配置された羽根車と、
前記回転軌跡の内側に位置し、前記羽根車が回転する際に前記舌片を変形させ、該舌片を元の形状に戻す前に前記搬送路内の前記媒体に当接させる干渉体と
を具えることを特徴とする媒体集積装置。
【請求項２】
前記干渉体は、
その一部が前記回転軌跡の外方まで延接されている
ことを特徴とする請求項１に記載の媒体集積装置。
【請求項３】
前記干渉体は、
前記羽根車が回転する際に前記舌片の外端部と最初に当接する
ことを特徴とする請求項２に記載の媒体集積装置。
【請求項４】
前記干渉体は、
前記羽根車の回転に伴い前記舌片が摺動する際に、当該舌片の外端部を中心軸に近接させていく
ことを特徴とする請求項３に記載の媒体集積装置。
【請求項５】
前記干渉体は、
回転する前記羽根車の前記舌片が最初に当接する初接箇所における当接面の法線が、前記回転軌跡における接線の方向よりも前記回転軸側に傾斜している
ことを特徴とする請求項２に記載の媒体集積装置。
【請求項６】
前記干渉体は、
前記羽根車が回転する際に前記舌片が最初に当接する初接箇所から最後に離れる離別箇所までの範囲が、連続する曲面により形成されている
ことを特徴とする請求項２に記載の媒体集積装置。
【請求項７】
前記干渉体は、
前記搬送路内の前記媒体に対し、前記羽根車の前記舌片を、外端部よりも前記回転軸に近い箇所から当接させる
ことを特徴とする請求項１に記載の媒体集積装置。
【請求項８】
前記干渉体は、
前記羽根車の前記舌片における外端部を、前記回転軌跡よりも前記回転軸に近い箇所で前記搬送路内の前記媒体に当接させる
ことを特徴とする請求項１に記載の媒体集積装置。
【請求項９】
前記羽根車は、
同一の回転軸に対し複数設けられ、
前記干渉体は、
前記羽根車ごとに分離されている
ことを特徴とする請求項１に記載の媒体集積装置。
【請求項１０】
紙葉状の媒体を収納する収納部と、
前記収納部から供給される前記媒体を搬送する搬送路と、
前記搬送路を搬送してきた前記媒体を所定の集積空間内へ放出する放出部と、
前記集積空間内に設けられ、前記放出部から放出された前記媒体を載置して集積する集積台と、
前記媒体の搬送方向と直交する中心軸を中心に回転する中心体から可撓性を有する舌片が放射方向へ延設されてなり、前記放出部から放出された前記媒体の後端を、前記舌片の前記中心体から最も遠い外端部が円状に回転する場合に描く回転軌跡の内側に位置させ、且つ前記搬送路に対し当該回転軌跡を交差させるように配置された羽根車と、
前記回転軌跡の内側に位置し、前記羽根車が回転する際に前記舌片を変形させ、該舌片を元の形状に戻す前に前記搬送路内の前記媒体に当接させる干渉体と
を具えることを特徴とする媒体処理装置。
【発明の詳細な説明】
【技術分野】
【０００１】
本発明は媒体集積装置及び媒体処理装置に関し、例えば金融機関の窓口に設置される紙幣処理装置（いわゆるテラーマシン）に適用して好適なものである。
【背景技術】
【０００２】
従来、紙幣処理装置としては、金融機関の窓口において窓口担当の職員（いわゆるテラー）等の操作者に操作されることにより、顧客との間で現金の入金や出金等のような種々の取引処理を行うものが広く普及している（例えば、特許文献１参照）。
【０００３】
この紙幣処理装置は、例えば紙幣が入金される入金部と、紙幣を出金する出金部と、紙幣を搬送する搬送部と、投入された紙幣の金種及び真偽を鑑別する鑑別部と、投入された紙幣を一時的に保留する一時保留部と、金種ごとに紙幣を収納する紙幣カセットと、再使用すべきでない紙幣を収納するリジェクトカセットとを有している。また紙幣処理装置は、操作者が操作する操作端末等と接続されている。
【０００４】
例えば紙幣処理装置は、操作者から操作端末を介して出金する指示を受け付けた場合、出金すべき金額に応じた紙幣を紙幣カセットから繰り出し、この紙幣を搬送部により鑑別部へ搬送して鑑別し、正常な紙幣を搬送部により出金部へ順次搬送する。
【０００５】
出金部は、搬送部により１枚ずつ搬送されてくる紙幣を内部で順次集積し、出金すべき紙幣を全て集積し終えると、操作者にこの紙幣を取り出させる。
【０００６】
例えば図１１に示す出金部６０４は、フレーム３０内に形成された集積空間３０Ｓに上下方向へ移動可能な集積台３１が設けられており、この集積台３１上に紙幣を集積するようになされている。
【０００７】
集積空間３０Ｓの後側面における上端近傍には、紙幣が搬送される搬送路３２が形成されている。搬送路３２の前端近傍における当該搬送路３２を上下に挟む箇所には、矢印Ｒ１方向に回転する放出ローラ３６及び自由に回転する押圧ローラ３８がそれぞれ配置されている。
【０００８】
放出ローラ３６の左右には、複数の羽根車４１が配置されている。羽根車４１は、中心体４２から外方へ向けて、複数の細長い舌片４３が放射状に取り付けられている。この舌片４３は、例えばゴム材料により構成されており、容易に撓む。この羽根車４１は、放出ローラ３６と同一の回転軸３７に取り付けられており、当該放出ローラ３６と共に回転する。
【０００９】
出金部６０４は、紙幣処理装置の搬送部から紙幣が搬送されてくると、集積動作を開始して、この紙幣を搬送路３２に沿って前方へ搬送し、放出ローラ３６及び押圧ローラ３８の間に挟持して集積空間３０Ｓ内へ放出する。
【００１０】
集積空間３０Ｓ内へ放出された紙幣は、集積空間３０Ｓ内における放出ローラ３６等とほぼ対向する位置に設けられたビルストッパ４０に衝突してその勢いが吸収された後、放出ローラ３６と共に回転する羽根車４１の舌片４３により後端部分が下方へ叩き落とされ、集積台３１の上又は既に集積された紙幣の上に集積される。
【先行技術文献】
【特許文献】
【００１１】
【特許文献１】特開２００７−２９０８５０公報（第１図等）
【発明の概要】
【発明が解決しようとする課題】
【００１２】
しかしながらこの出金部６０４では、その構造上、羽根車４１の舌片４３における外端部が回転時に描く回転軌跡４３Ｒと、搬送路３２における紙幣の搬送経路とが交差している。
【００１３】
このため出金部６０４では、集積動作の際に、回転する羽根車４１の舌片４３が搬送路３２上の紙幣に叩き付けられ、打撃音を発生することになる。かくして出金部６０４では、出金動作の際に大きな騒音を発生してしまう、という問題があった。
【００１４】
本発明は以上の点を考慮してなされたもので、媒体を集積する際に発生する騒音を抑え得る媒体集積装置及び媒体処理装置を提案しようとするものである。
【課題を解決するための手段】
【００１５】
かかる課題を解決するため本発明の媒体集積装置においては、紙葉状の媒体を搬送する搬送路と、搬送路を搬送されてきた媒体を所定の集積空間内へ放出する放出部と、集積空間内に設けられ、放出部から放出された媒体を載置して集積する集積台と、媒体の搬送方向と直交する中心軸を中心に回転する中心体から可撓性を有する舌片が放射方向へ延設されてなり、放出部から放出された媒体の後端を、舌片の中心体から最も遠い外端部が円状に回転する場合に描く回転軌跡の内側に位置させ、且つ搬送路に対し当該回転軌跡を交差させるように配置された羽根車と、回転軌跡の内側に位置し、羽根車が回転する際に舌片を変形させ、該舌片を元の形状に戻す前に搬送路内の媒体に当接させる干渉体とを設けるようにした。
【００１６】
また本発明の媒体処理装置においては、紙葉状の媒体を収納する収納部と、収納部から供給される媒体を搬送する搬送路と、搬送路を搬送されてきた媒体を所定の集積空間内へ放出する放出部と、集積空間内に設けられ、放出部から放出された媒体を載置して集積する集積台と、媒体の搬送方向と直交する中心軸を中心に回転する中心体から可撓性を有する舌片が放射方向へ延設されてなり、放出部から放出された媒体の後端を、舌片の中心体から最も遠い外端部が円状に回転する場合に描く回転軌跡の内側に位置させ、且つ搬送路に対し当該回転軌跡を交差させるように配置された羽根車と、回転軌跡の内側に位置し、羽根車が回転する際に舌片を変形させ、該舌片を元の形状に戻す前に搬送路内の前記媒体に当接させる干渉体とを設けるようにした。
【００１７】
本発明では、羽根車の回転により舌片を搬送路内の媒体に当接させる際に、当該舌片を予め干渉体に当接させて変形させ、中心軸に近づけることにより、その速度を低下させることができる。
【発明の効果】
【００１８】
本発明によれば、羽根車の回転により舌片を搬送路内の媒体に当接させる際に、当該舌片を予め干渉体に当接させて変形させ、中心軸に近づけることにより、その速度を低下させることができる。かくして本発明は、媒体を集積する際に発生する騒音を抑え得る媒体集積装置及び媒体処理装置を実現できる。
【図面の簡単な説明】
【００１９】
【図１】紙幣処理装置の外観構成を示す略線的斜視図である。
【図２】窓口における紙幣処理装置の配置を示す略線図である。
【図３】紙幣処理装置の内部構成を示す略線図である。
【図４】出金部の構成を示す略線図である。
【図５】出金部の構成を示す略線図である。
【図６】羽根車の回転に伴う舌片の変形（１）を示す略線図である。
【図７】羽根車の回転に伴う舌片の変形（２）を示す略線図である。
【図８】紙幣が無い場合の舌片の変形を示す略線図である。
【図９】他の実施の形態による干渉部材の構成を示す略線図である。
【図１０】他の実施の形態による干渉部材の構成を示す略線図である。
【図１１】従来の出金部の構成を示す略線図である。
【発明を実施するための形態】
【００２０】
以下、発明を実施するための形態（以下実施の形態とする）について、図面を用いて説明する。
【００２１】
［１．紙幣処理装置の構成］
図１に、紙幣処理装置１の外観構成を示す。この紙幣処理装置１は、金融機関の窓口等に設置される窓口用現金処理装置（いわゆるテラーマシン）であり、当該窓口等において顧客と応対する窓口担当者等の操作者に操作されることにより、紙幣の入出金処理を行うようになされている。
【００２２】
この紙幣処理装置１は、全体として直方体状に形成された筐体２の上面における前寄りの箇所に、入金部３、出金部４Ａ及び４Ｂ、表示操作部５、並びに操作ボタン６Ａ及び６Ｂが設けられている。
【００２３】
入金部３は、主に紙幣を入金するようになされており、操作者により紙幣が投入されると、これを１枚ずつに分離して紙幣処理装置１内へ取り込む。
【００２４】
出金部４Ａ及び４Ｂ（以下、まとめて出金部４と呼ぶ）は、主に紙幣を出金するようになされており、紙幣処理装置１内から搬送されてきた紙幣を内部に集積し、操作者に取り出させる。なお、出金部４Ａ及び４Ｂは互いに同等に構成されている。
【００２５】
表示操作部５は、例えばタッチセンサが組み込まれた液晶ディスプレイ、いわゆるタッチパネルでなり、メニュー画面、各種処理の結果画面などを表示して操作者に各種情報を通知すると共に、当該操作者の入力操作を受け付ける。
【００２６】
操作ボタン６Ａ及び６Ｂは、操作者による押下操作を受け付ける。また操作ボタン６Ａ及び６Ｂは、ＬＥＤ（Light Emitting Diode）等の発光素子が組み込まれており、このＬＥＤを点灯又は点滅させることにより、当該操作ボタン６Ａ及び６Ｂ全体を点灯又は点滅させ得るようになされている。
【００２７】
以下では、紙幣処理装置１のうち表示操作部５の表示内容を正しく読み取り得る正面側を前側とし、その反対を後側とし、前側から見た場合の左及び右をそれぞれ左側及び右側とし、さらに上側及び下側を定義して説明する。
【００２８】
筐体２の上面における前寄りの箇所には、図１に示したように、手前側から後ろ側へ向かって、出金部４Ｂ、出金部４Ａ、入金部３及び表示操作部５の順に配置されている。また表示操作部５の左右に操作ボタン６Ａ及び６Ｂがそれぞれ配置されている。
【００２９】
制御部８は、図示しないＣＰＵ（Central Processing Unit）を中心に構成されており、図示しないＲＯＭやフラッシュメモリ等から所定のプログラムを読み出して実行することにより、入金処理や出金処理等のような種々の処理を行う。
【００３０】
また制御部８は、内部にＲＡＭ（Random Access Memory）、ハードディスクドライブやフラッシュメモリ等でなる記憶部を有しており、この記憶部に種々の情報を記憶させる。
【００３１】
この紙幣処理装置１は、図２に平面図を示すように、金融機関等の窓口２０に設置される。窓口２０は、図の中央において長手方向を左右に向けるように設置されたカウンタ２１により、金融機関の職員でなる操作者Ｍ１及びＭ２（以下まとめて操作者Ｍと呼ぶ）等が職務を行う領域（図の下側）と、顧客ＣＳが各種取引や手続きを行う領域（図の上側）とを区切っている。
【００３２】
紙幣処理装置１は、カウンタ２１の下部に後側部分を潜り込ませると共に、椅子に座った２人の操作者Ｍ１及びＭ２の間に前側部分を位置させている。
【００３３】
またカウンタ２１には、操作者Ｍ１及びＭ２がそれぞれ対峙する位置に、当該操作者Ｍ１及びＭ２がそれぞれ操作するための操作端末２２及び２３が設置されている。
【００３４】
紙幣処理装置１は、図示しない通信処理部からネットワークを介して操作端末２２及び２３や図示しないホストコンピュータと接続されている。このため紙幣処理装置１は、操作端末２２及び２３やホストコンピュータとの間で各種情報を送受する他、操作端末２２及び２３側からの操作指示に基づいた処理を実行するようにもなされている。
【００３５】
［２．紙幣処理装置の内部構成］
次に、図３を用いて、紙幣処理装置１の内部構成について説明する。紙幣処理装置１の筐体２内には、上述した制御部８の他、鑑別部１１、一時保留部１２、紙幣カセット１３Ａ〜１３Ｄ、リジェクトカセット１４及び搬送部１５が設けられている。
【００３６】
鑑別部１１は、入金部３の後方下側に配置されている。この鑑別部１１は、搬送部１５により搬送されてくる紙幣の金種、真偽、正損、走行状態などを基に、取り扱うことのできる正常紙幣であるか、或いは取り扱うことのできないリジェクト紙幣であるかを鑑別して、その鑑別結果を制御部８へ送出する。
【００３７】
一時保留部１２は、出金部４の前方下側に配置されており、搬送部１５により搬送されてきた紙幣を内部に一時的に保留し、また保留している紙幣を１枚ずつ搬送部１５へ送出する。
【００３８】
筐体２内における下部には、最も前側にリジェクトカセット１４が配置されており、その後側に前方から後方へ向けて紙幣カセット１３Ａ、１３Ｂ、１３Ｃ及び１３Ｄが順次並ぶように配置されている。
【００３９】
紙幣カセット１３Ａ〜１３Ｄは、それぞれ内部に紙幣を集積した状態で収納するようになされており、またそれぞれ金種が割り当てられている。
【００４０】
この紙幣カセット１３Ａ〜１３Ｄは、搬送部１５から搬送されてくる紙幣（正常紙幣）を上下方向に重ねて内部に収納し、また収納している紙幣を１枚ずつ繰り出して搬送部１５へ受け渡すようになされている。
【００４１】
リジェクトカセット１４は、搬送部１５から搬送されてくるリジェクト紙幣を内部に集積して収納するようになされている。
【００４２】
搬送部１５は、筐体２内の各部を結ぶ搬送路Ｗに沿って配置された各種ローラやベルト及びこれらを駆動するためのギアやモータ等により構成されている。また搬送部１５は、搬送路の分岐点に図示しない搬送路切替機構を配置している。
【００４３】
この搬送部１５は、制御部８の制御に基づき、搬送路Ｗに沿って紙幣を搬送すると共に、搬送路切替機構により当該紙幣の搬送先を切り替える。因みに図３では、搬送部１５を構成する部品の一部のみを模式的に示している。
【００４４】
かかる構成により紙幣処理装置１は、入金処理が行われる際、まず操作者に入金部３に紙幣を投入させ、これを１枚ずつ分離して搬送部１５へ順次送り出す。搬送部１５は、この紙幣を搬送路Ｗに沿って鑑別部１１へ順次搬送する。
【００４５】
鑑別部１１は、この紙幣を１枚ずつ鑑別し、その鑑別結果を制御部８へ送出する。このとき制御部８は、鑑別部１１から取得した鑑別結果、すなわち正常紙幣又はリジェクト紙幣のいずれであるかに基づき、各紙幣の搬送先を決定する。
【００４６】
正常紙幣は、搬送部１５により一時保留部１２へ搬送されて一時的に保留された後、再度鑑別部１１へ搬送されて金種が判別され、その金種に応じた紙幣カセット１３Ａ〜１３Ｄへ搬送されて収納される。またリジェクト紙幣は、搬送部１５によりリジェクトカセット１４へ搬送されて収納される。
【００４７】
また紙幣処理装置１は、出金処理が行われる際、操作端末２２又は２３（図２）から出金額の指示を受け付け、制御部８の制御に基づき、紙幣カセット１３Ａ〜１３Ｄから出金額に応じた金種及び枚数の紙幣を搬送部１５へ順次繰り出す。
【００４８】
搬送部１５は、繰り出された紙幣の金種や正損等を鑑別部１１により鑑別した上で出金部４（４Ａ又は４Ｂ）へ順次受け渡す。出金部４は、搬送部１５から受け渡される紙幣を内部に集積し、操作者に取り出させる。
【００４９】
このように紙幣処理装置１は、出金処理において、紙幣を出金部４へ順次搬送して内部に集積させ、その後操作者Ｍに出金部４から紙幣を取り出させるようになされている。
【００５０】
［３．出金部の構成］
次に、出金部４の構成について説明する。図４及び図５に示すように、出金部４は、直方体状のフレーム３０内に各種部品が取り付けられた構成となっている。
【００５１】
因みに図４は出金部４の右側面図を表しており、図５は平面図を表している。なお説明の都合上、各部品は簡略化されており、さらに一部の部品は省略され、或いは透過されている。
【００５２】
フレーム３０（図４）は、内部に直方体状の集積空間３０Ｓが形成されている。集積空間３０Ｓ内には、上下方向に薄い板状部材でなる集積台３１が設けられている。集積台３１は、その板面が水平方向に対して傾斜するように配置されており、左右方向への投影形状が略平行四辺形となっている。また集積台３１の上面である集積面３１Ａは、紙幣ＢＬを集積し得るようになされている。
【００５３】
この集積台３１は、制御部８（図１）の制御に基づき、図示しない集積台移動部により上下方向へ移動するようになされている。
【００５４】
一方、出金部４の上部後側には、図４に示したように、フレーム３０の後面上部と集積空間３０Ｓの後側面上部との間を前後方向に連通させる搬送路３２が形成されている。この搬送路３２は、紙幣ＢＬに合わせて断面形状が形成されている。
【００５５】
搬送路３２の上下には、紙幣ＢＬを当該搬送路３２に沿って案内するための上ガイド３３及び下ガイド３４がそれぞれ設けられている。上ガイド３３は、フレーム３０の後面から集積空間３０Ｓの天井面における前寄りの箇所まで到達している。一方、下ガイド３４は、フレーム３０の後面から集積空間３０Ｓの後面に達しており、当該集積空間３０Ｓの後面を形成する後ガイド３５と連接している。
【００５６】
搬送路３２の前端近傍における下側には、放出ローラ３６が配置されている。放出ローラ３６は、中心軸を左右方向に向けた円柱状に形成されており、その中心部分において回転軸３７に貫通されている。因みに図５に示すように、回転軸３７には、２個の放出ローラ３６が互いに間隔を空けるようにして貫通されている。
【００５７】
この回転軸３７は、図示しないアクチュエータからの駆動力が伝達されるようになされており、制御部８（図１）の制御に基づき、放出ローラ３６と共に矢印Ｒ１方向に回転する。
【００５８】
搬送路３２の前端近傍における上側であって各放出ローラ３６と対向する箇所には、押圧ローラ３８がそれぞれ設けられている。押圧ローラ３８は、中心軸を左右方向に向けた円柱状に形成されている。また押圧ローラ３８は、図５に示したように、左右方向の幅が放出ローラ３６よりも狭くなっている。
【００５９】
さらに押圧ローラ３８は、その中心部分において回転軸３９に貫通されており、当該回転軸３９を中心として自在に回転するようになされている。
【００６０】
この回転軸３９は、図示しないスプリングにより下方へ押圧されている。このため押圧ローラ３８は、放出ローラ３６に向けて付勢されることになり、放出ローラ３６が矢印Ｒ１方向へ回転する際に、摩擦により矢印Ｒ２方向へ回転する。また放出ローラ３６は、このとき紙幣ＢＬが搬送路３２内にあれば、当該紙幣ＢＬを押圧ローラ３８との間に挟み込んで前方へ搬送し、集積空間３０Ｓ内へ放出する。
【００６１】
因みに出金部４は、例えば１秒間に１２枚のように極めて高速で紙幣ＢＬを集積空間３０Ｓ内へ放出し、集積台３１上にも同じ速度で当該紙幣ＢＬを集積することができる。
【００６２】
集積空間３０Ｓ内における前方には、ビルストッパ４０が設けられている。ビルストッパ４０は、図示しないスプリングを介してフレーム３０の前面に取り付けられている。
【００６３】
このためビルストッパ４０は、放出ローラ３６及び押圧ローラ３８により集積空間３０Ｓ内に放出された紙幣ＢＬが衝突すると、その衝撃を吸収すると共に、僅かに後方へ押し戻す。
【００６４】
ところで回転軸３７には、放出ローラ３６に加えて、羽根車４１（図４）が貫通されている。羽根車４１は、回転軸３７に取り付けられた円柱状の中心部４２から４枚の舌片４３を放射状に外方へ延長させている。
【００６５】
舌片４３は、ゴム等の材料により薄く細長い板状に形成されており、可撓性を有すると共に、表面の摩擦力が比較的大きくなっている。また舌片４３は、変形された際に元の形状に戻ろうとする程度の強度、いわゆる「コシ」を有しており、且つ柔軟な材料により構成されている。
【００６６】
因みに回転軸３７には、図５に示したように、左右の放出ローラ３６の間に１個、左右の放出ローラ３６の外側にそれぞれ２個ずつの合計５個が不等な間隔を空けて配置されている。
【００６７】
この羽根車４１は、回転軸３７が回転されると放出ローラ３６と共に矢印Ｒ１方向へ回転される。このとき舌片４３は、仮にその回転半径内に他の部品等が何ら設けられていなかった場合には、変形すること無く、外端部４３Ａが回転軌跡４３Ｒに沿って円を描くように回転することになる。
【００６８】
舌片４３は、集積空間３０Ｓ内に放出されビルストッパ４０に衝突した紙幣ＢＬが回転軌跡４３Ｒの範囲内にあれば、これを下方へ、すなわち集積台３１の上面又は当該集積台３１上に既に集積されている紙幣ＢＬの上面に叩き落とす。続いて舌片４３は、叩き落とした紙幣ＢＬの上面に密着するように撓み、当該紙幣ＢＬとの間に摩擦力を作用させて後方へ引き寄せることができる。
【００６９】
また上ガイド３３、下ガイド３４及び後ガイド３５における、羽根車４１が回転する際に舌片４３が通過する箇所には、当該舌片４３と干渉することなく通過させるための孔部が適宜穿設されている。
【００７０】
かかる構成に加えて出金部４には、下ガイド３４の下方における羽根車４１と対応する箇所であって回転軌跡４３Ｒの内側、すなわち羽根車４１の舌片４３が当接する箇所に、干渉部材５１が設けられている。
【００７１】
干渉部材５１は、板面を前後方向に向けると共にその厚さが十分に厚く強固な金属板により構成されており、容易に撓まないように、すなわち容易に振動しないようになされている。
【００７２】
また干渉部材５１は、下側部分を前方へやや屈曲させたような形状となっており、左右方向への投影形状が折れ線状となっている。換言すれば、干渉部材５１における下端５１Ｐの近傍部分は、後述するように法線が回転軌跡４３Ｒの接線よりも回転軸３７側に傾斜したような傾斜面となっている。
【００７３】
さらに干渉部材５１は、その下端５１Ｐが回転軌跡４３Ｒの外方にまで延長されており、その上端５１Ｑが、下ガイド３４に対し僅かな隙間を空ける程度に近接している。
【００７４】
ところで干渉部材５１は、図５に示したように、左側の２個の羽根車４１、中央の１個の羽根車４１、及び右側の２個の羽根車４１とそれぞれ対応する干渉部材５１Ａ、干渉部材５１Ｂ及び干渉部材５１Ｃにより構成されている。
【００７５】
すなわち干渉部材５１は、羽根車４１と対応しない範囲、例えば放出ローラ３６と対応する範囲が省略されていることにより、その面積が極力小さく抑えられている。
【００７６】
このように出金部４は、下ガイド３４の下方であって羽根車４１の舌片４３が円状に回転する場合に描く回転軌跡４３Ｒの範囲内に、干渉部材５１が設けられている。
【００７７】
［４．動作及び効果］
以上の構成において、本実施の形態による出金部４は、搬送部１５（図３）により紙幣ＢＬが搬送されてくると、回転軸３７（図４及び図５）を回転させることにより、放出ローラ３６と共に羽根車４１を矢印Ｒ１方向へ回転させる。
【００７８】
ここで羽根車４１に設けられた４本の舌片４３のうち１本の舌片４３に着目する。この舌片４３は、図６（Ａ）に示すように、後ガイド３５を通過した後、回転軸３７から最も遠方となる外端部４３Ａを干渉部材５１における下端５１Ｐの近傍に当接させる。
【００７９】
因みに図６（Ａ）では、説明の都合上、出金部４の一部のみを表しており、特に羽根車４１については、４本の舌片４３のうち着目している１本の舌片４３のみを表し、他を省略している。
【００８０】
干渉部材５１における下端５１Ｐの近傍部分は、上側の部分に対し前方へやや屈曲されているため、その法線Ｌ１が回転軌跡４３Ｒの接線Ｌ２よりも回転軸３７側を向いている。これを換言すれば、干渉部材５１における下端５１Ｐの近傍部分は、舌片４３の進行方向に沿って回転軌跡４３Ｒの外側から徐々に内側へ入り、回転軸３７へ近づくように形成されている。
【００８１】
このため舌片４３は、羽根車４１の矢印Ｒ１方向への回転に伴い、干渉部材５１に対する接触面積を徐々に増やしながら、図６（Ｂ）に示すように、外端部４３Ａ側を当該干渉部材５１に沿った形状に変形させていく。このため舌片４３は、干渉部材５１に当接する際に衝撃音を殆ど発生させることがない。
【００８２】
その後舌片４３は、羽根車４１の回転に伴い、干渉部材５１に対する当接位置を徐々に上方向へ移動させながら当該干渉部材５１との当接面積を増加させ、やがて図７（Ａ）に示すように、その一部を搬送路３２に露出させる。ここで搬送路３２に紙幣ＢＬがある場合、舌片４３はその中程の一部分である中部４３Ｂを当該紙幣ＢＬに当接させる。
【００８３】
ところで、従来の出金部６０４（図１１）では、上述したように、舌片４３の外端部４３Ａが最初に紙幣ＢＬに当接していた。この外端部４３Ａは、回転軸３７から最も遠方であるために、回転する羽根車４１において最も速度が高い部分となっていた。また外端部４３Ａは、外側（回転軸３７側と反対側）において何ら固定されておらず、いわゆる自由端となっているため、他の部品と衝突した際の振動が比較的大きくなっていた。
【００８４】
これらの要因により、従来の出金部６０４では、舌片４３の外端部４３Ａが紙幣ＢＬに衝突した際に、発生する騒音が比較的大きくなっていた。
【００８５】
これに対し本実施形態による出金部４の舌片４３は、最初に紙幣ＢＬに当接する中部４３Ｂが回転軌跡４３Ｒよりも回転軸３７側に位置しており、回転方向への進行速度が回転軌跡４３Ｒ上における外端部４３Ａよりも低い。
【００８６】
また中部４３Ｂは、内側（すなわち回転軸３７側）において中心部４２に固定される一方、外側（すなわち回転軸３７と反対へ向かう側）において干渉部材５１に当接しており、両端が固定されているものと見なし得る。これにより舌片４３は、他の部品と衝突した際の振動が、いわゆる自由端の場合よりも大幅に小さくなっている。
【００８７】
このため出金部４は、舌片４３の中部４３Ｂが紙幣ＢＬに衝突した際に発生する騒音を、従来の出金部６０４において外端部４３Ａが回転軌跡４３Ｒに沿って紙幣ＢＬに衝突した際に発生する騒音よりも、格段に小さく抑えることができる。
【００８８】
その後舌片４３は、羽根車４１が放出ローラ３６と共に回転すると、図７（Ｂ）に示すように、紙幣ＢＬと当接した部分が当該紙幣ＢＬとの間で発生する摩擦により、当該紙幣ＢＬに当接する面積を徐々に増加させると共に干渉部材５１と当接する面積を減少させながら、当該紙幣ＢＬと同等の速度で前方へ進行する。
【００８９】
やがて舌片４３の外端部４３Ａは、干渉部材５１の上端５１Ｑから離れ、弾性力の作用により紙幣ＢＬに当接する。このとき舌片４３は、外端部４３Ａの近傍である比較的短い範囲のみを撓ませているため、作用する弾性力が比較的小さくなる。また外端部４３Ａは、回転軸３７からの距離（いわゆる直線距離）が、従来の出金部６０４において回転軌跡４３Ｒ上で紙幣ＢＬと当接する際の距離よりも大幅に短く、また回転速度も小さい。
【００９０】
このため出金部４は、舌片４３の外端部４３Ａが紙幣ＢＬに衝突した際に発生する騒音を、従来の出金部６０４よりも格段に小さく抑えることができる。
【００９１】
このように出金部４は、羽根車４１を回転させる際に、舌片４３を干渉部材５１に徐々に当接させていくことができ、また舌片４３の外端部４３Ａを回転軸３７に近づけて速度を低下させた状態で紙幣ＢＬに衝突させることができるので、衝突に伴って発生する騒音を極めて小さくすることができる。
【００９２】
ところで出金部４は、搬送路３２内を紙幣ＢＬが搬送されていなかった場合、図８（Ａ）に示すように、舌片４３の外端部４３Ａを干渉部材５１の上端５１Ｑから引き離す際に、上端５１Ｑの頂点部分が当該舌片４３の外側面と摺動することになる。
【００９３】
ここで図８（Ｂ）に示すように、仮想的な出金部１０４において、干渉部材５１に代えて上端１５１Ｑが前方へ傾くように屈曲された干渉部材１５１が設けられていた場合を想定する。すなわち干渉部材１５１の上端１５１Ｑ近傍における内側面は、その法線Ｌ３が当該上端１５１Ｑを通る仮想的な円の接線Ｌ４よりも回転軸３７に近づく方向へ傾けられている。
【００９４】
この出金部１０４では、舌片４３の外端部４３Ａを干渉部材１５１の上端１５１Ｑから引き離す際に、外端部４３Ａの近傍を含む比較的広い範囲が上端１５１Ｑのみと摺動するため、いわば先端部分によりしごかれることになる。これにより出金部１０４では、比較的短い期間で舌片４３の摩耗や損傷が発生する恐れがある。
【００９５】
これに対し、本実施形態による出金部４（図８（Ａ））において、干渉部材５１の上端５１Ｑ近傍における内側面は、その法線Ｌ５が当該上端５１Ｑを通る仮想的な円の接線Ｌ６よりも回転軸３７から遠ざかる方向へ傾けられている。
【００９６】
これにより出金部４では、舌片４３の外端部４３Ａを干渉部材５１の上端５１Ｑから引き離す際に、上端５１Ｑの近傍を含む比較的広い範囲で外端部４３Ａ及びその近傍と摺動することになる。これにより出金部１０４では、舌片４３の摩耗や損傷が発生する可能性が極めて低い。
【００９７】
さらに出金部４は、干渉部材５１の面積を極量小さく、紙幣ＢＬの面積よりも十分に小さく抑えた。これにより、例えば各干渉部材５１Ａ〜５１Ｃを左右方向に連結してその面積を拡大した場合と比較して、舌片４３が当接する際に発生する騒音の音量を小さく抑えることができ、且つその周波数を高めることができる。
【００９８】
一般に、音の伝播特性として、周波数が高いと直進性が高いために回り込み難く、周波数が低いと直進性が低いために回り込み易いことが知られている。このため、一般に騒音の伝播を防止する場合、高音域であれば音の直線的な進行経路を遮蔽すれば良いのに対し、低温域であれば空間を密閉するなどの複雑な騒音対策が必要とされる。
【００９９】
この点において本実施形態による出金部４では、騒音の周波数が高いため、密閉等の複雑な対策を必要とせず、例えば簡易的な開閉式のカバーを設けることにより、その騒音の外部への伝播を有効に遮断することができる。
【０１００】
以上の構成によれば、本実施の形態による出金部４は、下ガイド３４の下方であって羽根車４１の舌片４３の回転軌跡４３Ｒ内に干渉部材５１を設けた。これにより出金部４は、羽根車４１を回転させる際、舌片４３をまず干渉部材５１の下端５１Ｐ近傍に徐々に当接させ、その後当該舌片４３を当該干渉部材５１に摺動させた後、搬送路３２内を搬送される紙幣ＢＬに対し、まず中部４３Ｂを当接させ、徐々にその外方部分を当接させていき、最後に外端部４３Ａを僅かに撓ませて紙幣ＢＬに衝突させる。この結果、出金部４は、舌片４３の外端部４３Ａと紙幣ＢＬとの衝突に伴って発生する騒音を極めて小さく抑えることができる。
【０１０１】
［５．他の実施の形態］
なお上述した実施の形態においては、干渉部材５１を、板面を前後方向に向けた薄板状の部材における下側部分を前方へやや屈曲させたような形状とした場合について述べた。
【０１０２】
しかしながら本発明はこれに限らず、他の種々の形状としても良い。例えば図９（Ａ）に示す干渉部材２５１のように、板面を前後方向に向けて屈曲させることなく１枚の薄板状としても良く、或いは図９（Ｂ）に示す干渉部材３５１のように全般的に湾曲された板状としても良い。この場合、要は回転軌跡４３Ｒ内に設けられることにより、舌片４３の外端部４３Ａを摺動させながら徐々に回転軸３７側へ近づけていき、且つ下ガイド３４の比較的近傍で当該外端部４３Ａの摺動を終了して、搬送路３２内の紙幣ＢＬに当接させることができれば良い。
【０１０３】
また上述した実施の形態においては、干渉部材５１の下端５１Ｐを回転軌跡４３Ｒの外方に位置させるようにした場合について述べた。
【０１０４】
しかしながら本発明はこれに限らず、例えば図１０（Ａ）に示す干渉部材４５１のように、下端４５１Ｐを回転軌跡４３Ｒの内部に位置させても良い。この場合、下端４５１Ｐを極力回転軌跡４３Ｒに近接させることにより、干渉部材５１のように下端５１Ｐを回転軌跡４３Ｒの外側に位置させた場合と類似した効果を得ることができる。
【０１０５】
さらに上述した実施の形態においては、干渉部材５１における下端５１Ｐの近傍部分を、その法線Ｌ１が回転軌跡４３Ｒの接線Ｌ２よりも回転軸３７側に傾斜したような傾斜面とした場合について述べた（図６（Ａ））。
【０１０６】
しかしながら本発明はこれに限らず、例えば干渉部材５１における下端５１Ｐの近傍部分を、その法線Ｌ１が回転軌跡４３Ｒの接線Ｌ２と同等の方向に向け、或いは回転軸３７と反対側に傾斜させるようにしても良い。
【０１０７】
さらに上述した実施の形態においては、屈曲された板状の干渉部材５１を羽根車４１における舌片４３の回転軌跡４３Ｒ内に設けるようにした場合について述べた。
【０１０８】
しかしながら本発明はこれに限らず、例えば図１０（Ｂ）に示すように、中心軸を左右方向に向けた円柱状の干渉部材５５１を下ガイド３４の下近傍であって舌片４３の回転軌跡４３Ｒ内に設けるようにしても良い。この場合、干渉部材５５１の強度を高めることにより、舌片４３が当接したときに発生する騒音を抑えることが望ましい。
【０１０９】
この干渉部材５５１を用いた場合、干渉部材５１を用いた場合と同様に、下ガイド３４の近傍において舌片４３の外端部４３Ａを摺動させ、撓ませてから紙幣ＢＬに当接させることにより、当該外端部４３Ａが紙幣ＢＬに衝突する際に発生する騒音を極めて小さく抑えることができる。
【０１１０】
さらに上述した実施の形態においては、干渉部材５１の上端５１Ｑ（図４）を下ガイド３４に近接させる場合について述べた。
【０１１１】
しかしながら本発明はこれに限らず、例えば、下ガイド３４から上端５１Ｑまでの距離を、下ガイド３４から回転軸３７までの距離よりも遠ざける等、上端５１Ｑを下ガイド３４からある程度遠ざけるようにしても良い。
【０１１２】
さらに上述した実施の形態においては、各干渉部材５１（５１Ａ、５１Ｂ及び５１Ｃ）をそれぞれ１の部材により構成する場合について述べた。
【０１１３】
しかしながら本発明はこれに限らず、各干渉部材５１を２以上の部材の組み合わせにより構成しても良い。これにより、１の部材により構成する場合と比較して、個々の部品を小さくすることができるので、舌片４３が当接したときに発生する騒音の大きさをより小さくし、且つ周波数帯を高めることが可能となる。
【０１１４】
さらに上述した実施の形態においては、放出ローラ３６の外方において互いに隣接して配置された２個の羽根車４１に対し、１個の干渉部材５１Ａ又は５１Ｃを配置した場合について述べた（図５）。
【０１１５】
しかしながら本発明はこれに限らず、例えば左右方向の長さが短く１個の羽根車４１と対応するような干渉部材５１、すなわち干渉部材５１Ｂと同様の大きさの干渉部材５１を各羽根車４１と対応させるように配置しても良い。或いは、これと反対に、左右方向の長さが長く、３以上の羽根車４１と対応するような干渉部材５１を配置するようにしても良い。
【０１１６】
さらに上述した実施の形態においては、干渉部材５１を金属材料により構成した場合について述べた。
【０１１７】
しかしながら本発明はこれに限らず、当該干渉部材５１を例えば樹脂材料により構成するようにしても良い。この場合、強度を十分に高めることにより、撓みや振動の発生を極力抑制することが望ましい。
【０１１８】
さらに上述した実施の形態においては、干渉部材５１に対し特に加工を施さない場合について述べた。
【０１１９】
しかしながら本発明はこれに限らず、例えば干渉部材５１の表面に研磨加工やメッキ処理等のような種々の加工処理を施すことにより、摩擦係数を低減させるようにしても良い。或いは、干渉部材５１に対し焼き入れ処理を施すことにより、耐久性を高めるようにしても良い。
【０１２０】
さらに上述した実施の形態においては、紙幣ＢＬを出金する出金部４において羽根車４１における舌片４３の回転軌跡４３Ｒ内に干渉部材５１を設けた場合について述べた。
【０１２１】
しかしながら本発明はこれに限らず、例えば紙幣カセット１３やリジェクトカセット１４等、種々の箇所に設けられている羽根車における舌片の回転軌跡内に干渉部材５１を設けるようにしても良い。
【０１２２】
さらに上述した実施の形態においては、金融機関の窓口等に設置される窓口用現金処理装置としての紙幣処理装置１において、媒体としての紙幣ＢＬを集積する出金部４に本発明を適用するようにした場合について述べた。
【０１２３】
しかしながらこれに限らず、例えば金融機関等において顧客との間で現金に関する種々の処理を行う現金自動預払機（いわゆるＡＴＭ）等、紙幣ＢＬを取り扱う種々の装置において、羽根車が配置される箇所に本発明を適用するようにしても良い。さらには、例えば証券や金券等のような種々の紙葉状の媒体を取り扱う種々の装置において羽根車が配置される箇所に、本発明を適用するようにしても良い。
【０１２４】
さらに上述した実施の形態においては、搬送路としての搬送路３２と、放出部としての放出ローラ３６及び押圧ローラ３８と、集積台としての集積台３１と、羽根車としての羽根車４１と、干渉体としての干渉部材５１とによって媒体集積装置としての出金部４を構成する場合について述べた。
【０１２５】
しかしながら本発明はこれに限らず、その他種々の構成でなる搬送路と、放出部と、集積台と、羽根車と、干渉体とによって媒体集積装置を構成するようにしても良い。
【０１２６】
さらに上述した実施の形態においては、搬送部としての搬送部１５と、搬送路としての搬送路３２と、放出部としての放出ローラ３６及び押圧ローラ３８と、集積台としての集積台３１と、羽根車としての羽根車４１と、干渉体としての干渉部材５１とによって媒体処理装置としての紙幣処理装置１を構成する場合について述べた。
【０１２７】
しかしながら本発明はこれに限らず、その他種々の構成でなる搬送部と、搬送路と、放出部と、集積台と、羽根車と、干渉体とによって媒体処理装置を構成するようにしても良い。
【産業上の利用可能性】
【０１２８】
本発明は、紙葉状の媒体を集積する種々の装置でも利用できる。
【符号の説明】
【０１２９】
１……紙幣処理装置、４、４Ａ、４Ｂ……出金部、８……制御部、１３……紙幣カセット、１４……リジェクト庫、１５……搬送部、３０Ｓ……集積空間、３１……集積台、３２……搬送路、３６……放出ローラ、３７……回転軸、３８……押圧ローラ、４１……羽根車、４２……中心部、４３……舌片、４３Ａ……外端部、４３Ｂ……中部、４３Ｒ……回転軌跡、５１……干渉部材、ＢＬ……紙幣。
【図１】
2014229186.tif 000003
【図２】
2014229186.tif 000004
【図３】
2014229186.tif 000005
【図４】
2014229186.tif 000006
【図５】
2014229186.tif 000007
【図６】
2014229186.tif 000008
【図７】
2014229186.tif 000009
【図８】
2014229186.tif 000010
【図９】
2014229186.tif 000011
【図１０】
2014229186.tif 000012
【図１１】
2014229186.tif 000013